(57)【要約】【課題】消費電力を必要最小限に抑えつつ、寒冷地での起動不具合や結露を防止することができる画像表示装置を提供する。【解決手段】画像表示装置1は、キャビネット2内に、映像信号を表示する液晶ディスプレイ3と、該液晶ディスプレイ3を照射するバックライト6と、バックライト6へ通電する電源ユニット8と、該通電を制御するマイコン部4と、キャビネット2内の温度を測定し、マイコン部4に繋がった温度センサ5を設けている。マイコン部4は、マイコン部4及び温度センサ5のみに通電し他の電子部品への通電を停止するスタンバイモードと、バックライト6を点灯しつつ液晶ディスプレイ3上に画像を表示しない擬似スタンバイモードとに選択的に移行する。マイコン部4は、スタンバイモードに於いて、温度センサ5からの温度データが、キャビネット2内の結露又は内部電子部品の動作不良に繋がる第１しきい値以下と判断したときは、擬似スタンバイモードに移行する。【選択図】図２
2008276028.tif 000002
【特許請求の範囲】
【請求項１】
キャビネット(２)内に、映像信号を表示するディスプレイ部と、該ディスプレイ部を照射するバックライト(６)と、バックライト(６)へ通電する電源ユニット(８)と、該通電を制御するマイコン部(４)と、キャビネット(２)内の温度を測定し、マイコン部(４)に繋がったセンサ手段を設け、
マイコン部(４)は、マイコン部(４)及びセンサ手段のみに通電し他の電子部品への通電を停止するスタンバイモードと、バックライト(６)を点灯しつつディスプレイ部上に画像を表示しない擬似スタンバイモードとに選択的に移行可能であり、
マイコン部(４)は、スタンバイモードに於いて、センサ手段からの温度データが、第１しきい値以下と判断したときは、擬似スタンバイモードに移行する切換え機能を有することを特徴とする画像表示装置。
【請求項２】
マイコン部(４)は、擬似スタンバイモードに於いて、センサ手段からの温度データが、第２しきい値以上と判断したときは、スタンバイモードに移行する切換え機能を有し、第２しきい値は、第１しきい値よりも温度が高い値である、請求項１に記載の画像表示装置。
【請求項３】
第１しきい値は、キャビネット(２)内の結露又は内部電子部品の動作不良に繋がる温度値である、請求項１又は２に記載の画像表示装置。
【請求項４】
キャビネット(２)内に、映像信号を表示するディスプレイ部と、該ディスプレイ部を照射するバックライト(６)と、バックライト(６)へ通電する電源ユニット(８)と、該通電を制御するマイコン部(４)と、キャビネット(２)内の湿度を測定し、マイコン部(４)に繋がったセンサ手段を設け、
マイコン部(４)は、マイコン部(４)及びセンサ手段のみに通電し他の電子部品への通電を停止するスタンバイモードと、バックライト(６)を点灯しつつディスプレイ部上に画像を表示しない擬似スタンバイモードとに選択的に移行可能であり、
マイコン部(４)は、スタンバイモードに於いて、センサ手段からの湿度データが、第１しきい値以上と判断したときは、擬似スタンバイモードに移行する切換え機能を有することを特徴とする画像表示装置。
【請求項５】
マイコン部(４)は、擬似スタンバイモードに於いて、センサ手段からの湿度データが、第２しきい値以下と判断したときは、スタンバイモードに移行する切換え機能を有し、第２しきい値は、第１しきい値よりも湿度が低い値である、請求項４に記載の画像表示装置。
【請求項６】
第１しきい値は、キャビネット(２)内の結露又は内部電子部品の動作不良に繋がる湿度値である、請求項４又は５に記載の画像表示装置。
【請求項７】
キャビネット(２)は、密閉され、屋外での使用に対応している、請求項１乃至６の何れかに記載の画像表示装置。
【発明の詳細な説明】
【技術分野】
【０００１】
本発明は、バックライトを有する画像表示装置、特に屋外等の風雨に晒される環境下にて使用されることを想定したテレビジョン受像機等の画像表示装置に関する。
【背景技術】
【０００２】
図４は、従来のバックライト(６)を有する画像表示装置(１)のブロック図である。これは液晶ディスプレイ(３)の背面に蛍光灯、ＬＥＤ等のバックライト(６)を設け、液晶ディスプレイ(３)に表示される画像を見やすくしている。ここで、バックライト(６)は周囲温度が低くなると、照度が低下して暗くなる特性がある。従って、キャビネット(２)内にて、バックライト(６)の近傍に温度センサ(５)を設け、周囲温度が所定値よりも低くなると、マイクロコンピュータ部(以下、「マイコン部」と略す)(４)を介して、電源ユニット(８)からのバックライト(６)への給電電圧レベルを高めて、周囲温度が低くなっても、バックライト(６)の照度を保っている(特許文献１参照)。
また、斯種の画像表示装置(１)は、スタンバイモードを設け、視聴していない場合は、リモコン(７)又は該装置内のスイッチ(図示せず)によってスタンバイモードに移行するものがある。ここでスタンバイモードとは、待機電力をできるだけ抑えるべく、例えばマイコン部(４)だけに通電されている状態を指し、スタンバイモードでは液晶ディスプレイ(３)やバックライト(６)には通電されない。
【０００３】
【特許文献１】特開２００４−６９９０７号公報
【発明の開示】
【発明が解決しようとする課題】
【０００４】
出願人は、キャビネット(２)が密閉され、しかも屋外で使用されるテレビジョン受像機である画像表示装置を提案している。この場合、外気の気温が下がって、キャビネット(２)内部に結露を生じ、キャビネット(２)内部の電子部品に悪影響を及ぼす虞れがある。図４に示す従来の画像表示装置(１)では、温度センサ(５)は結露を生じるまでの低い温度には対応していなかった。
特に、氷点下を下回る寒冷地にあっては、電子部品の温度特性により、電源が入りにくくなり、スタンバイモードから復帰しない不具合も生じ得る。この対策として、スタンバイモードに入らずに、電源ユニット(８)やバックライト(６)をＯＮにしておくことも考えられるが、待機電力が非常に大きくなる不具合がある。また、電子部品は温度が高くなるほど、寿命が短くなる所謂アレニウスの法則に従う傾向があり、常時電源やバックライト(６)をＯＮにすると、キャビネット(２)内部の電子部品の寿命が短くなる。
本発明の目的は、消費電力を必要最小限に抑えつつ、寒冷地での起動不具合や結露を防止することができる画像表示装置を提供することにある。
【課題を解決するための手段】
【０００５】
キャビネット(２)内に、映像信号を表示するディスプレイ部と、該ディスプレイ部を照射するバックライト(６)と、バックライト(６)へ通電する電源ユニット(８)と、該通電を制御するマイコン部(４)と、キャビネット(２)内の温度を測定し、マイコン部(４)に繋がったセンサ手段を設け、
マイコン部(４)は、マイコン部(４)及びセンサ手段のみに通電し他の電子部品への通電を停止するスタンバイモードと、バックライト(６)を点灯しつつディスプレイ部上に画像を表示しない擬似スタンバイモードとに選択的に移行可能であり、
マイコン部(４)は、スタンバイモードに於いて、センサ手段からの温度データが、第１しきい値以下と判断したときは、擬似スタンバイモードに移行する切換え機能を有する。
第１しきい値は、キャビネット(２)内の結露又は内部電子部品の動作不良に繋がる温度値である。
【発明の効果】
【０００６】
スタンバイモード中に、キャビネット(２)内の温度が、結露又は内部電子部品の動作不良に繋がる低温となったときは、マイコン部(４)は、擬似スタンバイモードに移行して、バックライト(６)を点灯させる。但し、画像は表示されない。これにより、キャビネット(２)内部は加熱され、キャビネット(２)内の結露又は内部電子部品の動作不良を効果的に防ぐことができる。キャビネット(２)内の温度が、第１しきい値以下となったときだけ、バックライト(６)を点灯させるので、常時電源やバックライト(６)をＯＮにする場合に比して、電子部品の寿命は長くなる。
また、擬似スタンバイモードにあっては、バックライト(６)に通電するが、ディスプレイ部には画像を表示しない。これにより、視聴者に違和感を与えることはない。
【発明を実施するための最良の形態】
【０００７】
以下、本発明の一実施例を図を用いて、詳述する。
図１は、本例の画像表示装置(１)の内部ブロック図である。本例の画像表示装置(１)は屋外で使用されるテレビジョン受像機を想定しているが、これに限定されない。
キャビネット(２)内には、従来と同様に、液晶ディスプレイ(３)及びバックライト(６)が設けられ、液晶ディスプレイ(３)及びバックライト(６)は電源ユニット(８)から通電される。この電源ユニット(８)のＯＮ、ＯＦＦは、使用者がキャビネット(２)上の主電源スイッチ(20)を操作して決定される。従って、電源ユニット(８)がＯＦＦの状態では、キャビネット(２)内の電子部品には通電されない。本例の画像表示装置(１)にあっては、従来のスタンバイモードの他に、後記の如く、バックライト(６)を点灯しつつ液晶ディスプレイ(３)上に黒信号を送り、画像を表示しない擬似スタンバイモードを有する。
【０００８】
バックライト(６)はバックライト制御部(60)、電源ユニット(８)は電源制御部(80)を介して制御手段であるマイコン部(４)に繋がり、マイコン部(４)にはリモコン(７)の赤外線信号を受けるリモコン受光部(70)が接続される。マイコン部(４)には温度センサ(５)からの信号が入力され、マイコン部(４)内のメモリに、キャビネット(２)内の結露又は内部電子部品の動作不良に繋がる温度レベルである第１しきい値が格納されている。
キャビネット(２)に設けられた映像入力端子である映像信号入力手段(25)からの信号は、映像処理部(26)にて補正等の処理がなされて液晶ディスプレイ(３)に送られる。映像信号入力手段(25)からの信号は、映像信号検出部(27)を介して、マイコン部(４)に入力され、マイコン部(４)は映像信号入力手段(25)から一定時間を超えて映像信号が入力されないときは、電源ユニット(８)が液晶ディスプレイ(３)及びバックライト(６)に通電している状態から、スタンバイモードに移行する。
【０００９】
図２は、マイコン部(４)の動作を示すフローチャートである。使用者が電源ユニット(８)をＯＮにして(Ｓ1)、画像表示装置(１)に通電すれば、マイコン部(４)はスタンバイモードに設定されていないことを確認して(Ｓ2)、通常動作に移行する。即ち、映像処理部(26)、バックライト(６)、液晶ディスプレイ(３)に通電して、液晶ディスプレイ(３)に画像を表示する(Ｓ3)。この後、リモコン受光部(70)から電源ＯＦＦの信号を受けた、即ち使用者がリモコン(７)をＯＦＦにして画像を視聴しない場合は(Ｓ4)、電源ユニット(８)がＯＮであれば、マイコン部(４)はスタンバイモードに移行する(Ｓ2、Ｓ5)。マイコン部(４)はバックライト(６)を消灯し、電源ユニット(８)はマイコン部(４)と温度センサ(５)にのみ通電し、他の電子部品への通電を停止する。
【００１０】
キャビネット(２)は金属製であって吸熱効果があるから、外気が冷えると、キャビネット(２)内部は急激に温度が下がる。温度センサ(５)からの温度データが、第１しきい値よりも低い場合は(Ｓ6)、キャビネット(２)内に結露が生じ、又はキャビネット(２)内部の電子部品の動作不良に繋がる虞れがある。この場合、マイコン部(４)は擬似スタンバイモードに移行する(Ｓ8)。
擬似スタンバイモードとは、バックライト(６)に通電して点灯させ、キャビネット(２)内の温度を上昇させるが、使用者にはバックライト(６)の点灯が見えないように、映像処理部(26)から全黒の信号(全ての液晶画素について黒)を出力させて、液晶ディスプレイ(３)に入力するモードである。擬似スタンバイモードにあっては、バックライト(６)に通電するが、液晶ディスプレイ(３)に画像を表示しないから、視聴者に違和感を与えない。
マイコン部(４)はリモコン受光部(70)から電源ＯＦＦの信号を受けた場合のみならず、スタンバイモード設定中にも、温度センサ(５)からの温度データを検出し続ける。
【００１１】
マイコン部(４)内部には、第１しきい値の他に、第１しきい値よりも稍高い温度値である第２しきい値が格納されている。バックライト(６)を点灯させたことにより、キャビネット(２)の内部温度が上がる。従って、結露を防止し、又はキャビネット(２)内部の電子部品の動作不良を防止する目的を達成した後は、バックライト(６)を消灯した方が、消費電力の節約になり、バックライト(６)の寿命を長くすることができる。従って、温度センサ(５)からの温度データが第２しきい値を越えれば、バックライト(６)を消灯し、スタンバイモードに移行する(Ｓ10、Ｓ7)。スタンバイモードにて使用者がリモコン(７)をＯＮにすると、通常動作となって、液晶ディスプレイ(３)に画像を表示する(Ｓ9、Ｓ3)。
【００１２】
ここで、第２しきい値が第１しきい値よりも稍高い温度値である理由を、図３を用いて説明する。キャビネット(２)内の温度が、第１しきい値以下となれば、バックライト(６)をＯＮにするので、キャビネット(２)内の温度が、第１しきい値以上となった場合に、バックライト(６)をＯＦＦにすることも考えられる。しかし、これではキャビネット(２)内の温度が、第１しきい値以下となれば、バックライト(６)がＯＮとなり、少しでも第１しきい値を越えればバックライト(６)がＯＦＦとなる。従って、第１しきい値の近傍にて、バックライト(６)のＯＮ、ＯＦＦを繰り返すチャタリングに似た現象が生じることになる。そこで、第２しきい値を、第１しきい値よりも稍高い温度値に設定して、或る温度値近傍でバックライト(６)のＯＮ、ＯＦＦが繰り返される不具合を防いでいる。
【００１３】
映像信号入力手段(25)は例えば受信アンテナに繋がるが、放送終了等で映像信号入力手段(25)から映像信号が入力されない場合がある。映像信号検出部(27)は映像信号入力手段(25)から映像信号が入力されないことを検知すれば、マイコン部(４)にその旨を伝える。マイコン部(４)は、自動的にスタンバイモードに設定して、バックライト(６)を消灯するが、この後も、温度センサ(５)からの温度データが、第１しきい値よりも低くなれば、マイコン部(４)は擬似スタンバイモードに移行する。
【００１４】
上記例では、温度センサ(５)からのデータにて、スタンバイモードから擬似スタンバイモードへの移行を判断しているが、温度データを感知する温度センサ(５)に代えて、湿度データを感知する湿度センサを用いてもよい。
即ち、外気が冷えれば、当然に相対湿度が上がる。周知の如く、相対湿度とは、空気中の水蒸気量を飽和水蒸気量で除したものであるから、相対湿度が１００％を越えれば、飽和水蒸気量を超えた分が結露となる。従って、湿度センサを用いて、キャビネット(２)内の相対湿度を検知してもよい。この場合、第１しきい値は、該第１しきい値を越えて相対湿度が上がると、結露しやすくなる値であり、第２しきい値は、第１しきい値よりも相対湿度が低く設定された値である。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１６】
【図１】本例の画像表示装置の内部ブロック図である。
【図２】マイコン部の動作を示すフローチャートである。
【図３】第１しきい値と第２しきい値の関係を示す図である。
【図４】従来の画像表示装置のブロック図である。
【符号の説明】
【００１７】
(１)  画像表示装置
(２)  キャビネット
(３)  液晶ディスプレイ
(４)  マイコン部
(５)  温度センサ
(６)  バックライト
【図１】
2008276028.tif 000003
【図２】
2008276028.tif 000004
【図３】
2008276028.tif 000005
【図４】
2008276028.tif 000006